(57)【要約】  人を特定のデータセットに関連付ける方法であって、キャプチャデバイスで、信頼される文書の画像をデジタルでキャプチャするステップであって、信頼される文書に、人の識別情報が表されているステップ、キャプチャデバイスで、人が関連付けられ得るデータをキャプチャするステップ、およびデジタル化された文書を、キャプチャされたデータと組み合わせて、コンピュータネットワークを介してキャプチャデバイスから遠隔受信側に送信するステップを含む方法。【選択図】図１
2017532619.tif 000002
【特許請求の範囲】
【請求項１】
人を特定のデータセットに関連付ける方法であって、
キャプチャデバイスで、信頼される文書の画像をデジタルでキャプチャするステップであって、前記信頼される文書に、人の識別情報が表されているステップ、
前記キャプチャデバイスで、人が関連付けられ得るデータをキャプチャするステップ、および
前記デジタル化された文書を、前記キャプチャされたデータと組み合わせて、コンピュータネットワークを介して前記キャプチャデバイスから遠隔受信側に送信するステップ
を含む方法。
【請求項２】
前記コンピュータネットワークが、移動電話ネットワークおよびインターネットのいずれか１つである請求項１に記載の方法。
【請求項３】
前記キャプチャデバイスの操作者の本人確認を行うステップを含む請求項１に記載の方法。
【請求項４】
前記デジタル化された文書を前記キャプチャされたデータと組み合わせて送信する前に、特定の条件を受け入れるように人に要求するステップを含む請求項１に記載の方法。
【請求項５】
信頼される文書の画像をデジタルでキャプチャする前記ステップが、本人確認を行われる対象者の顔と組み合わせて画像をキャプチャするステップを含む請求項１に記載の方法。
【請求項６】
サーバで、信頼される文書のキャプチャされた画像をデジタル化フォーマットで受信するステップであって、前記信頼される文書に、人の前記識別情報が表されているステップ、
前記サーバで、前記人が関連付けられ得るキャプチャされたデータを受信するステップ、
前記信頼される文書の前記デジタル化された画像を所定の評価基準に従って評価するステップ、および
前記所定の評価基準が満たされる場合に、前記キャプチャされたデータを、前記信頼される文書の前記デジタル化された画像で識別される前記人に関連付けて記憶するステップ
をさらに含む請求項１に記載の方法。
【請求項７】
前記信頼される文書が、検証されるべきさらなる詳細情報を含む請求項６に記載の方法。
【請求項８】
前記人が関連付けられ得るキャプチャされたデータを受信するステップが、特定の商取引に関係付けられるデータを受信するステップを含む請求項６に記載の方法。
【請求項９】
前記信頼される文書の前記デジタル化された画像を評価するステップが、前記デジタル化された文書の前記画像を、前記文書が表しているものとされる以前のデータと比較するステップを含む請求項６に記載の方法。
【請求項１０】
撮影された人の画像をデジタル化フォーマットで受信するステップを含む請求項６に記載の方法。
【請求項１１】
所定の評価基準に従って前記信頼される文書の前記デジタル化された画像を評価するステップが、前記人の前記画像を、前記人の前記画像を表す前記信頼される文書の前記画像と比較するステップを含む請求項１０に記載の方法。
【請求項１２】
前記信頼される文書の前記デジタル化された画像を評価するステップが、前記人の前記画像と、前記人の前記画像を表す前記信頼される文書の前記画像との手動比較または自動比較の任意の１つを含む請求項１１に記載の方法。
【請求項１３】
前記関連付けプロセスの結果を報告するメッセージを遠隔受信側に送信するステップを含む請求項６に記載の方法。
【請求項１４】
信頼される文書の画像をキャプチャしてデジタル化するための撮像手段を有し、さらに、前記デジタル化された文書を、本人確認を行われる対象者と関連付けられ得るキャプチャされたデータと組み合わせて送信するためのモバイル通信インターフェースを有する遠隔データキャプチャデバイス、
前記デジタル化された文書を、前記人が関連付けられ得る前記キャプチャされたデータと組み合わせて受信するように動作可能な受信側、ならびに
デジタル化された文書に表されたデータ、および前記人が関連付けられ得るキャプチャされたデータを記憶するために、データフィールドを有するデータベース
を含む個人データ関連付けシステム。
【請求項１５】
実質的に本明細書で述べられて図示された、請求項１に記載の人を特定のデータセットに関連付ける方法。
【請求項１６】
実質的に本明細書で述べられて図示された、請求項１４に記載の個人データ関連付けシステム。
【請求項１７】
実質的に本明細書で述べられた、特定のデータセットと人を関連付ける新規の方法。
【請求項１８】
実質的に本明細書で述べられた、新規の個人データ関連付けシステム。
【発明の詳細な説明】
【技術分野】
【０００１】
本発明は、本人確認に関する。特に、本発明は、人を特定のデータセットに関連付ける方法、および個人データ関連付けシステムに関する。
【背景技術】
【０００２】
人を本人確認するためのいくつかのプロセスおよびシステムが本発明者には既知である。しかし、洗練された通信インフラストラクチャが利用可能でない地理的な僻地にまでビジネスが広がるにつれて、僻地、または通信インフラストラクチャが容易には利用可能でない場所での本人確認の必要性が高まっている。
【発明の概要】
【発明が解決しようとする課題】
【０００３】
本発明は、ユーザが最低限の訓練をすれば操作することができる独立型の本人確認方法およびシステムを提供することを狙いとする。
【課題を解決するための手段】
【０００４】
本発明の一態様によれば、人を特定のデータセットに関連付ける方法であって、
キャプチャデバイスで、信頼される文書の画像をデジタルでキャプチャするステップであって、信頼される文書に、人の識別情報が表されているステップ；
キャプチャデバイスで、人が関連付けられ得るデータをキャプチャするステップ；および
デジタル化された文書を、キャプチャされたデータと組み合わせて、コンピュータネットワークを介してキャプチャデバイスから遠隔受信側に送信するステップ
を含む方法が提供される。
【０００５】
この方法は、キャプチャデバイスで、デジタル化された文書を所定の評価基準に従って評価するステップを含むことがある。
【０００６】
この方法は、キャプチャデバイスで、所定の評価基準が満たされた場合に、キャプチャされたデータを、デジタル化された文書で識別される人と関連付けて記憶するステップを含むことがある。
【０００７】
コンピュータネットワークは、移動電話ネットワークまたはインターネットなどでよい。
【０００８】
この方法は、人を特定のデータセットに関連付けるときに特定の条件を受け入れるようにその人に要求するステップを含むことがある。例えば、人は、その人が適用している特定の移動電話サービスを提供する移動電話ＳＩＭカードなど、その人が適用している特定のサービスに関連付けられる法的な諸条件を受け入れるように要求されることがある。
【０００９】
さらに、人が、本人確認目的で自分を証明しなければならない必要がある場合、デジタル画像は人の顔の画像でよく、次いでこの画像を他のデータと突き合わせて検証することができる。例えば、人が自分の身分証明書と突き合わせて本人確認されなければならない場合、方法は、その人の身分証明書を、その人の頭から肩の画像と組み合わせてキャプチャすることを含んでいてよい。したがって、画像をキャプチャするステップは、光学的に表すことができる任意の文書または被写体をキャプチャするステップを含むことがある。
【００１０】
この方法は、遠隔キャプチャデバイスの操作者の本人確認を行うステップを含むことがある。
【００１１】
この方法は、
サーバで、信頼される文書のキャプチャされた画像をデジタル化フォーマットで受信するステップであって、信頼される文書に、人の識別情報が表されているステップ；
サーバで、人が関連付けられ得るキャプチャされたデータを受信するステップ；
デジタル化された文書を所定の評価基準に従って評価するステップ；および
所定の評価基準が満たされる場合に、キャプチャされたデータを、デジタル化された画像で識別される人に関連付けて記憶するステップ
をさらに含むことがある。
【００１２】
信頼される文書は、人の識別情報が表されている任意の文書でよく、例えば政府機関によって発行される識別ブック、運転免許証、またはソーシャルセキュリティカードなどである。さらに、居住地など、人の特定の詳細情報が検証されるべき用途では、信頼される文書は、居住証明を提供する文書でよい。したがって、信頼される文書は、所得税登録証書または投票者の登録証書など、人と関連付けられ得るデータであることを裏付ける任意の文書でよい。
【００１３】
人が関連付けられ得るデータをキャプチャするステップは、移動電話ネットワークで使用するための加入者識別モジュール（ＳＩＭ）、トランザクションカード、またはプリペイド電気カードなど（これらはすべて、人に一意に関連付けられる）の発行など、特定の商取引に関係付けられるデータを含むことがある。
【００１４】
デジタル化された文書を評価するステップは、デジタル化された文書の画像を、文書が表しているものとされる以前のデータと比較するステップを含んでいてよい。人の画像が撮影される場合、基準は、人の画像を、信頼される文書に表される人の画像と比較するステップを含むことがある。例えば、人の画像は、信頼される文書でのその人の画像と比較されることがある。所定の基準は、データを、信頼される文書の画像をデジタルでキャプチャするステップ中にキャプチャされたデータと手動または自動で比較することを含むことがある。
【００１５】
この方法は、関連付けプロセスの結果を報告するメッセージを遠隔受信側に送信するステップを含んでいてよい。
【００１６】
本発明は、
信頼される文書の画像をキャプチャしてデジタル化するための撮像手段を有し、さらに、デジタル化された文書を、本人確認を行われる対象者と関連付けられ得るキャプチャされたデータと組み合わせて送信するためのモバイル通信インターフェースを有する遠隔データキャプチャデバイス；
デジタル化された文書を、人が関連付けられ得るキャプチャされたデータと組み合わせて受信するように動作可能な受信側；ならびに
デジタル化された文書に表されたデータ、および人が関連付けられ得るキャプチャされたデータを記憶するために、データフィールドを有するデータベース
を含む個人データ関連付けシステムを含む。
【００１７】
以下、本発明を、以下の図面を参照して単に非限定の例として述べる。
【図面の簡単な説明】
【００１８】
【図１】本発明の一態様による個人データ関連付けシステムを示す図である。
【図２】本発明の別の態様による、人を特定のデータセットに関連付ける方法を組み込む移動電話サービスプロバイダへの要求を示す図である。
【図３】図２の方法の一部を成す、信頼される文書の画像をデジタルでキャプチャするステップに先立つステップを示す図である。
【図４】図２の方法の一部を成す、信頼される文書の画像をデジタルでキャプチャするステップに先立つ別のステップを示す図である。
【図５】図２の方法の一部を成す、人の識別情報が表されている信頼される文書の画像をデジタルでキャプチャするステップの例を示す図である。
【図６】図２の方法の一部を成す、人の識別情報が表されている信頼される文書の画像をデジタルでキャプチャするステップの例を示す図である。
【図７】図２の方法の一部を成す、遠隔キャプチャデバイスの操作者の本人確認を行うステップを示す図である。
【図８】図２の方法の一部を成す、デジタル化された文書を所定の評価基準に従って評価するステップを示す図である。
【図９】図２の方法の一部を成す、デジタル化された文書を所定の評価基準に従って評価するステップを示す図である。
【図１０】人を特定のデータセットに関連付けるときに、特定の条件を受け入れるように遠隔受信側に要求するステップを示す図である。
【発明を実施するための形態】
【００１９】
図１に、個人データ関連付けシステム１０が、人を特定のデータセットに関連付ける方法での特定のステップ（図２〜１０を参照して詳細に後述する）と共に示されている。
【００２０】
システム１０は、いわゆるアップグレードキオスクの形態で遠隔データキャプチャデバイス１２を含む。遠隔データキャプチャデバイス１２は、特別に設計されたモバイル通信デバイス取付部１２．１、および取付部１２．１内に受取り可能である移動電話１２．２からなる。移動電話１２．２は、アプリケーション１２．３を具備され、アプリケーション１２．３は、人を特定のデータセットに関連付ける方法の一部を容易にする。また、移動電話１２．２は、移動電話ネットワークに一意に登録された加入者識別モジュール１２．４を具備される。
【００２１】
移動電話１２．２は、移動電話汎用パケット無線サービス（ＧＰＲＳ）ネットワークゲートウェイ１４に接続され、ＧＰＲＳネットワークゲートウェイ１４は、サーバ１６およびデータベース２２の形態でのデータ受信側に接続される。データベース２２は、デジタル化された文書に表されたデータ、および人が関連付けられ得るキャプチャされたデータを記憶するために、データフィールドを有する。
【００２２】
サーバ１２．６は、移動電話ネットワークによってホストされた非構造化付加サービスデータ（ＵＳＳＤ）リンク１８を介して、および移動電話ネットワーク上のショートメッセージサービス（ＳＭＳ）機能２０を介して、本人確認を行われる対象者に接続可能である。ＵＳＳＤリンクは、ＧＰＲＳリンクまたはＷｉ−Ｆｉリンクなどに代えることもできることを理解されたい。
【００２３】
サーバ１６はアプリケーション２４に接続され、アプリケーション２４は、データベース２２に記憶されているデータへのアクセス権を有する。アプリケーション２４は、バックオフィス２６によってアクセスされ、バックオフィス２６で、デジタル化された文書が所定の評価基準に従って評価される。
【００２４】
図１に示される個人データ関連付けシステムでの他の構成要素は、人の個人詳細情報が移動電話ネットワーク上で特定のＳＩＭカードとリンクされる特定の用途のためのものであり、この例ではさらなる詳細を述べない。
【００２５】
図２に、本発明の別の態様に従って、移動電話ユーザの個人データを特定のＳＩＭに関連付けるための要求１００が、人を特定のデータセットに関連付ける方法の一部として示されている。ステップ１０２で、関連付けを行うための要求が受信され、ステップ１０４で、トランザクションに対するいくつかの所定のチェックが行われる。ステップ１０６でチェックに合格した場合、ステップ１０８で文書キャプチャセッションが開始される。この例では、ステップ１０９で、ユーザは、自分の身分証明書を手に持つことを要求され、デジタル画像が作成される。さらに、ステップ１１０で、ユーザは、撮像のために文書を提示するように要求される。ステップ１１２で、サービスエージェントがアプリケーション２４にログオンし、ステップ１１４で、所定の１組の評価基準に従って要求が評価される。評価が不合格であった場合、ステップ１１６で、メッセージがユーザに送信される。評価が合格の場合、ステップ１１８で契約プロセスが開始される。
【００２６】
ＳＩＭをユーザに関連付けるために関連付けが要求される特定の例において（図２での）ステップ１０４で行われる所要のテストを、図３でより詳細に説明する。ステップ１０２で、ユーザとの関連付けを行うために要求が受信される。ステップ１２０で、移動電話ネットワーク上でのユーザステータスが決定される。ステップ１２０でユーザが既存のユーザでない場合、ユーザは、ステップ１２２でエージェントと呼ぶことができ、またはステップ１２４でマーケティング担当者と呼ぶこともできる。ステップ１２４でユーザが既存のユーザである場合、ステップ１２６で、ユーザの識別ブックから情報を収集するための要件が説明される。
【００２７】
ユーザのＩＤブックから情報をキャプチャするという決定が下されると、図４に示される文書キャプチャセッション１５０の開始が始められる。
【００２８】
ステップ１５２で、操作者のログイン詳細情報が要求される。ステップ１５４でログイン詳細情報を検証することができた場合、ステップ１５６で確認画面が表示される。ステップ１５８で、操作者は、実施すべき特定の関連付けを選択することができる機会を有し、ステップ１６０で、モバイル加入者統合サービスデジタルネットワーク（ＭＳＩＳＤＮ）番号を提供することを求める要求が表示される。ステップ１６２でＭＳＩＳＤＮが操作者によって供給され、ステップ１６４でＭＳＩＳＤＮが評価される。ＭＳＩＳＤＮが合格と評価される場合、文書キャプチャセッションは、ステップ１６６に進められる。
【００２９】
図５および６は、２つのタイプの文書に関する同じプロセスを表し、同じステップに関しては同じ参照番号が使用される。ステップ２０２で、文書キャプチャセッション２００が開始される。ステップ２０４で、ユーザは、文書を提示するように促され、ステップ２０６で、文書が提示される。ステップ２０８で画像がキャプチャされ、この画像は、ステップ２１０で表示され、ステップ２１２で評価される。画像が正常にキャプチャされた場合、ステップ２１４で、操作者は、成功を確認するように促され、ステップ２１６で、文書がデータベース２２にアップロードされる。
【００３０】
図７に、遠隔キャプチャデバイスの操作者の本人確認、および関連付けプロセスの開始のステップ２５０が示されている。ステップ２５２で、操作者がアプリケーション２４にログオンし、ログイン後、ステップ２５４で、信用証明が入力される。ステップ２５６で、操作者のログイン信用証明が評価され、合格した場合には、ステップ２５８で、利用可能なオプションのメニューが表示される。ステップ２６０で、操作者が、実施すべき特定のタイプの関連付けを選択する。ステップ２６２で、未処理の検証のリストが提示され、最も古い検証要求が最初に提示される。
【００３１】
図８および９に、所定の評価基準に従ってデジタル化された文書３００を評価するステップが示される。ステップ３０２で、（自分のＩＤブックを持つ顧客の）第１の画像が、適性を検証される。適切である場合、（顧客ＩＤブックの）第２の画像が、適性を検証される。ステップ３０６で、ＩＤブックでのデータが、顧客に関して以前に記憶されたデータと比較される。ステップ３０８で、データが、データベース２２にあるデータと合致する場合、データベース２２で名前情報が確認され、合致しない場合には、データは記憶されない。ステップ３１０で、顧客の顔がＩＤブック画像と比較され、顔が合致する場合、ステップ３１２で、ＩＤ画像が確認済みと設定され、ステップ３１４で、確認日が設定される。ステップ３１６で検証プロセスに合格した場合、ステップ３１８で、操作者は、検証を承認するように促され、ステップ３２２で、確認ＳＭＳがユーザに送信される。ステップ３１６で検証プロセスが不合格であった場合、ステップ３２０で、操作者は、アプリケーションを拒否するように促されて、ステップ３２４で、確認ＳＭＳがユーザに送信される。
【００３２】
図１０に、人を特定のデータセットに関連付けるときに特定の条件を受け入れるように遠隔受信側に要求するステップ３５０が示されている。ステップ３５２で、関連付けプロセスが成功したとき、ステップ３５４で応答が評価され、所定の時間間隔にわたって応答が受信されなかった場合、ステップ３５６でリマインダプロセスが終了される。ステップ３５８でＵＳＳＤセッションが同時に開始され、承認される場合には、ステップ３６０でプロセスが正常に終了し、ステップ３６２でデータが記憶される。ステップ３６４でプロセスが正常に終了しない場合、方法は、確認が送信されることなく終了する。
【００３３】
本発明者は、本発明が、人を特定のデータセットに関連付ける新規の方法、および新規の個人データ関連付けシステムを提供するという見解である。
【図１】
2017532619.tif 000003
【図２】
2017532619.tif 000004
【図３】
2017532619.tif 000005
【図４】
2017532619.tif 000006
【図５】
2017532619.tif 000007
【図６】
2017532619.tif 000008
【図７】
2017532619.tif 000009
【図８】
2017532619.tif 000010
【図９】
2017532619.tif 000011
【図１０】
2017532619.tif 000012
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
人を特定のデータセットに関連付ける方法であって、
キャプチャデバイスで、デジタル化された文書として、信頼される文書の画像をデジタルでキャプチャするステップであって、前記信頼される文書に、人の識別情報が表されているステップ、
前記キャプチャデバイスで、人が関連付けられ得るデータをキャプチャするステップ、および
前記デジタル化された文書を、前記キャプチャされたデータと組み合わせて、コンピュータネットワークを介して前記キャプチャデバイスから遠隔受信側に送信するステップ
を含む方法。
【請求項２】
前記コンピュータネットワークが、移動電話ネットワークおよびインターネットのいずれか１つである請求項１に記載の方法。
【請求項３】
前記キャプチャデバイスの操作者の本人確認を行うステップを含む請求項１に記載の方法。
【請求項４】
前記デジタル化された文書を前記キャプチャされたデータと組み合わせて送信する前に、特定の条件を受け入れるように人に要求するステップを含む請求項１に記載の方法。
【請求項５】
信頼される文書の画像をデジタルでキャプチャする前記ステップが、本人確認を行われる対象者の顔と組み合わせて画像をキャプチャするステップを含む請求項１に記載の方法。
【請求項６】
サーバで、信頼される文書のキャプチャされた画像をデジタル化フォーマットで受信するステップであって、前記信頼される文書に、人の前記識別情報が表されているステップ、
前記サーバで、前記人が関連付けられ得るキャプチャされたデータを受信するステップ、
前記信頼される文書の前記キャプチャされた画像の前記デジタル化フォーマットを所定の評価基準に従って評価するステップ、および
前記所定の評価基準が満たされる場合に、前記キャプチャされたデータを、前記信頼される文書の前記キャプチャされた画像の前記デジタル化フォーマットで識別される前記人に関連付けて記憶するステップ
をさらに含む請求項１に記載の方法。
【請求項７】
前記信頼される文書が、検証されるべきさらなる詳細情報を含む請求項６に記載の方法。
【請求項８】
前記人が関連付けられ得るキャプチャされたデータを受信するステップが、特定の商取引に関係付けられるデータを受信するステップを含む請求項６に記載の方法。
【請求項９】
前記信頼される文書の前記キャプチャされた画像の前記デジタル化フォーマットを評価するステップが、前記信頼される文書の前記キャプチャされた画像の前記デジタル化フォーマットを、前記信頼される文書の前記キャプチャされた画像の前記デジタル化フォーマットが表しているものとされる以前のデータと比較するステップを含む請求項６に記載の方法。
【請求項１０】
撮影された人の画像をデジタル化フォーマットで受信するステップを含む請求項６に記載の方法。
【請求項１１】
所定の評価基準に従って前記信頼される文書の前記キャプチャされた画像の前記デジタル化フォーマットを評価するステップが、前記人の前記画像を、前記人の前記画像を表す前記信頼される文書の前記画像と比較するステップを含む請求項１０に記載の方法。
【請求項１２】
前記信頼される文書の前記キャプチャされた画像の前記デジタル化フォーマットを評価するステップが、前記人の前記画像と、前記人の前記画像を表す前記信頼される文書の前記画像との手動比較または自動比較の任意の１つを含む請求項１１に記載の方法。
【請求項１３】
前記関連付けプロセスの結果を報告するメッセージを遠隔受信側に送信するステップを含む請求項６に記載の方法。
【請求項１４】
信頼される文書の画像をキャプチャしてデジタル化するための撮像手段を有し、さらに、前記信頼される文書の前記デジタル化された画像を、本人確認を行われる対象者と関連付けられ得るキャプチャされたデータと組み合わせて送信するためのモバイル通信インターフェースを有する遠隔データキャプチャデバイス、
前記信頼される文書の前記デジタル化された画像を、前記人が関連付けられ得る前記キャプチャされたデータと組み合わせて受信するように動作可能な受信側、ならびに
前記信頼される文書の前記デジタル化された画像に表されたデータ、および前記人が関連付けられ得るキャプチャされたデータを記憶するために、データフィールドを有するデータベース
を含む個人データ関連付けシステム。
【国際調査報告】
2017532619.tif 000013
2017532619.tif 000014